(57)【要約】【課題】籠構造物において、排水用骨材と胴込材の一体性を保ちつつ、作業の容易化及びコストの低減を図る。【解決手段】籠構造物１は、籠部１０と後方補強部２０とを備える。籠部１０は、底面網１１と、前面網１２と、後面網１３と、左右の側面網１４，１５とで囲まれた箱形状を有し、内部には排水用骨材３０が充填されている。後方補強部２０は、籠部１０の後面網１３から後方向に延びる左右の側面パネル２１，２２と、左右の側面パネル２１，２２の後端同士を連結する後面パネル２５と、後面網１３と後面パネル２５とを連結する複数の連結部材２６，２７とを備える。後方補強部２０の底面部分の少なくとも一部には底面を構成する部材が存在しておらず、後面網１３、左右の側面パネル２１，２２及び後面パネル２５とで囲まれた空間２９には、粒径が排水用骨材３０の粒径以下である胴込材３１が充填されている。【選択図】図１
2020094372.tif 000002
【特許請求の範囲】
【請求項１】
底面網と、前面網と、後面網と、左右の側面網とで囲まれた箱形状の籠部と、
前記籠部の後方に配置された後方補強部と、を備え、
前記籠部の内部には排水用骨材が充填されており、
前記後方補強部は、
多孔質部材から構成されており、前記籠部の後端部から後方向に延びるとともに、互いに間隔を空けて対向する左右の側面パネルと、
多孔質部材から構成されており、前記左右の側面パネルの後端部同士を連結する後面パネルと、
前記後面網と前記後面パネルとを連結する複数の連結部材と、を備え、
前記後方補強部の底面部分の少なくとも一部には底面を構成する部材が存在しておらず、前記後面網、前記左右の側面パネル及び前記後面パネルとで囲まれた空間には、粒径が前記排水用骨材の粒径以下である胴込材が充填されていることを特徴とする籠構造物。
【請求項２】
請求項１において、
前記排水用骨材は、単粒度砕石と栗石のうち少なくとも一方で構成されており、
前記胴込材は、単粒度砕石と栗石とクラッシャランと土砂のうち少なくともいずれか一つで構成されていることを特徴とする籠構造物。
【請求項３】
請求項１又は２において、
前記複数の連結部材は、
前記後面網と前記後面パネルとを連結する棒状のステーと、
多孔質部材から構成されており、前記左右の側面パネル間に立設し、前後の両端部が前記後面網と前記後面パネルとを連結する仕切パネルとを、含むことを特徴とする籠構造物。
【請求項４】
請求項３において、
前記仕切パネルの上端は、前記後面網、前記左右の側面パネル及び前記後面パネルそれぞれの上端よりも低い位置に位置することを特徴とする籠構造物。
【発明の詳細な説明】
【技術分野】
【０００１】
本発明は籠構造物に関する。
【背景技術】
【０００２】
従来より、籠構造物に関して種々の開示がされている。例えば、特許文献１は、篭シートに関する発明を開示する。この篭シートは、多孔質素材からなるベースシートの前端部に、多孔質素材からなる篭部を設けると共に、該ベースシートの後端部に上向きに立ち上がったパネル状の立壁部を設け、該立壁部を倒伏防止用の枠線で篭部に連結する。篭部は、底面パネルと、前面及び後面パネルと、左右の側面パネルと、上面パネルとで囲まれた矩形又は台形の断面形状を有する。ベースシートは、矩形状をなしていて、篭部及び立壁部が該ベースシートと同じ横幅寸法を有し、これらの篭部と立壁部とが、横幅方向の両端部において相互間に掛け渡した枠線によって互いに連結されている。篭部内に石を詰めると共に、ベースシート上に土砂を充填する。
【０００３】
これにより、土壌に対する抗力が大きく土留効果に勝れた、擁壁構築のための篭シートを得ることができると記載されている。また、この篭シートを利用し、少量の石と土砂とを併用することにより、土留効果に勝れた擁壁を効率良く低コストで構築することができると記載されている。
【０００４】
特許文献２は、補強材一体型ふとん籠を用いた地山斜面の擁壁構築工法に関する発明を開示する。ここで、補強材一体型ふとん籠は、地山斜面に対して離間配置されるふとん籠と、該ふとん籠の底面から連続する補強材とが相互に一体に連結して構成される。ふとん籠の内部には排水用骨材材料を充填するとともに補強材の上に補強用骨材材料を締固めてふとん籠補強層を造成する。排水用骨材材料は、ぐり石や単粒度砕石である。補強用骨材材料は、該排水用骨材材料よりも小さい粒径材を含むクラッシャランである。補強用骨材材料の締固め度を排水用骨材材料の締固め度より大きくして、補強材の上に締固めた補強用骨材材料の単位体積当たりの重量をふとん籠の内部に充填した排水用骨材材料の単位体積当たりの重量より大きくする。これにより、補強材一体型ふとん籠の重心を地山斜面側（補強材側）に位置させてふとん籠の設置形態を長期に亘って安定させることができると記載されている。
【先行技術文献】
【特許文献】
【０００５】
【特許文献１】特許２８７２６６０号公報
【特許文献２】特許６３１４２７５号公報
【発明の概要】
【発明が解決しようとする課題】
【０００６】
前記特許文献１，２に係る籠構造物（篭シート、補強材一体型ふとん籠）は、いずれも前方に籠部（篭部、ふとん籠）を、該籠部の後方に後方補強部（ベースシート、補強材）を備えている。籠部内には排水用骨材（石、排水用骨材材料）が、後方補強部内には胴込材（土砂、補強用骨材材料）が充填されている。胴込材の粒径は排水用骨材の粒径以下である。
【０００７】
このように、籠構造物を籠部と後方補強部とに分けて、後方補強部に充填する胴込材の粒径を、籠部に充填する排水用骨材の粒径以下にすることで、コストの低減を図っている。
【０００８】
ところで、これら籠構造物は、籠部及び後方補強部の全部分に亘って、底面を構成する部材が備えられている（ベースシート、補強材）。
【０００９】
さらなるコストの低減のためには、底面を構成する部材を除くことが有効である。特に、後方補強部の幅寸法（前後方向の寸法）が大きければ大きいほどコスト低減効果が大きい。
【００１０】
また、このような籠構造物は、仕様に合わせて幅寸法を都度調整する必要がある。そして、籠構造物の幅寸法を調整するとき、底面を構成する部材を含めた後方補強部を幅方向に延ばしたり縮めたりしている。すなわち、後方補強部における底面を構成する部材を除くことで、作業を容易にすることができる。
【００１１】
しかし、単に該底面を構成する部材を除くだけでは、籠部と後方補強部とを連結する力が弱くなり、籠部に前方向の力が加わったとしても、後方補強部は、その力に抗するという寄与がほとんどないと考えられる。
【００１２】
したがって、籠部内の排水用骨材が前方向に移動しても、後方補強部内の胴込材が追随しないので、排水用骨材と胴込材の一体性が保たれないと考えられる。特に排水用骨材の粒径と胴込材の粒径が異なる場合には、両者の一体性を保つことがより困難であると考えられる。
【００１３】
本発明は斯かる点に鑑みてなされたものであり、その目的とするところは、籠構造物において、排水用骨材と胴込材の一体性を保ちつつ、作業の容易化及びコストの低減を図ることにある。
【課題を解決するための手段】
【００１４】
ここに開示する籠構造物は、底面網と、前面網と、後面網と、左右の側面網とで囲まれた箱形状の籠部と、該籠部の後方に配置された後方補強部と、を備え、該籠部の内部には排水用骨材が充填されており、該後方補強部は、多孔質部材から構成されており、該籠部の後端部から後方向に延びるとともに、互いに間隔を空けて対向する左右の側面パネルと、多孔質部材から構成されており、該左右の側面パネルの後端部同士を連結する後面パネルと、該後面網と該後面パネルとを連結する複数の連結部材と、を備え、該後方補強部の底面部分の少なくとも一部には底面を構成する部材が存在しておらず、該後面網、該左右の側面パネル及び該後面パネルとで囲まれた空間には、粒径が該排水用骨材の粒径以下である胴込材が充填されていることを特徴とする。
【００１５】
ここで、「多孔質部材」とは、多数の孔が形成された通気性を有する部材のことをいう。したがって、例えば、織金網のような金属線材で編んだ菱形金網等の網状の部材、溶接金網のような金属線材を網状に重ね合わせて交点を溶接した部材、合成樹脂ネットのような樹脂を網状に形成した部材又はパンチングメタルのような金属の板に多数の孔を空けて形成した部材等、その他多数の孔が形成された通気性を有する部材であれば、その材質、孔の大きさ、孔の数等による制限は無く、その構成はいかなるものであってもよい。
【００１６】
これによれば、籠構造物を籠部と後方補強部とに分けて、後方補強部に充填する胴込材に、籠部に充填する排水用骨材よりも安価な材料を適用することができるので、コストを低減することができる。さらに、後方補強部の底面の全部分に亘って底面を構成する部材が備えられている場合に比べて、後方補強部の底面全体における底面を構成する部材が占める割合が小さくなるので、コストをさらに低減することができる。特に、後方補強部の幅寸法（前後方向の寸法）が大きいときにコスト低減効果が大きい。
【００１７】
また、後方補強部の底面全体における底面を構成する部材が占める割合が小さくなったので、仕様に応じて後方補強部の幅寸法を変更することに伴う、底面を構成する部材の幅寸法を調整することの負担が減り、作業が容易になる。
【００１８】
そして、籠部に前方向の力が作用したとき、後面網が連結部材を前方向に引張り、さらに、該連結部材が後面パネルを前方向に引張る。したがって、籠部と後方補強部は、一体で前方向に移動するようになる。つまり、籠部内の排水用骨材と、後方補強部内の胴込材とが一体で前方向に移動するようになり、前方向への滑動力に対して、籠部と後方補強部が一体となって抗することになり、排水用骨材と胴込材との一体性が保たれる。
【００１９】
一実施形態では、前記排水用骨材は、単粒度砕石と栗石のうち少なくとも一方で構成されており、前記胴込材は、単粒度砕石と栗石とクラッシャランと土砂のうち少なくともいずれか一つで構成されていることを特徴とする。
【００２０】
これによれば、骨材の選択によっては、比較的高価な栗石や単粒度砕石の使用を減らすことができ、コストを低減することができる。
【００２１】
一実施形態では、前記複数の連結部材は、前記後面網と前記後面パネルとを連結する棒状のステーと、多孔質部材から構成されており、前記左右の側面パネル間に立設し、前後の両端部が該後面網と該後面パネルとを連結する仕切パネルとを、含むことを特徴とする。
【００２２】
これによれば、仮組時に、仕切パネルによって、後面パネルを立たせた状態で固定することができる。したがって、組立作業が容易になる。
【００２３】
一実施形態では、前記仕切パネルの上端は、前記後面網、前記左右の側面パネル及び前記後面パネルそれぞれの上端よりも低い位置に位置することを特徴とする。
【００２４】
これによれば、胴込材を後方補強部内に充填した後、上から転圧（締固め）するときに、仕切パネルが邪魔にならず作業が容易になる。
【発明の効果】
【００２５】
本発明によれば、排水用骨材と胴込材の一体性を保ちつつ、作業を容易にし、コストを低減することができる。
【図面の簡単な説明】
【００２６】
【図１】図１は、本発明の実施形態に係る籠構造物を示す斜視図である。
【図２】図２は、籠構造物を複数段積み重ねて形成した多段籠構造物の模式的な断面図である。
【発明を実施するための形態】
【００２７】
特許文献１，２からも分かるように従来は後方補強部において、底面の全体に金網やシート等が配置されていないと、前側の籠部が前方向に滑動するような力に対して、後方補強部が抵抗できないと考えられていた。本発明者らは、種々検討した結果、後方補強部の底面の一部に金網等がなくても滑動力に抵抗できる構造に想到した。
【００２８】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００２９】
＜籠構造物の構成＞
図１は、本実施形態に係る籠構造物１を示す。但し、後述する排水用骨材３０と胴込材３１を除き、後述する上蓋網１６（１６’）を取外した状態で示している。図２は、籠構造物１を上下方向に５段積み重ねて形成した多段籠構造物Ａを示す。多段籠構造物Ａの詳細については後述する。
【００３０】
籠構造物１は前方に籠部１０が配置され、籠部１０の後方に後方補強部２０が配置されている。この籠部１０は、それぞれ溶接金網からなる矩形の底面網１１、前面網１２、後面網１３及び左右の側面網１４，１５（以下、左面網１４及び右面網１５という場合がある）とで囲まれるように構成されており、箱形状を有する。また、籠部１０は、長さ方向（左右方向）に比較的長い寸法Ｌ、幅方向（前後方向）に比較的短い寸法Ｂ１、そして、高さ方向（上下方向）に比較的短い寸法Ｈを有する。
【００３１】
底面網１１、前面網１２、後面網１３、左面網１４及び右面網１５は、それぞれ籠部１０の底面、前面、後面、左側面及び右側面を構成する部材である。具体的には、底面網１１と前面網１２は、横断面がＬ字形状である１つのＬ型溶接金網から構成されている。底面網１１の後端には後面網１３が立設しており、該後面網１３は前面網１２と対向している。また、底面網１１の左端には左面網１４が立設し、底面網１１の右端には右面網１５が立設している。左面網１４と右面網１５は互いに対向している。後面網１３と底面網１１の固定はコイル２を巻き付かせることで行われる。左右の側面網１４，１５と底面網１１の固定及び後面網１３と左右の側面網１４，１５の固定についても同様である。
【００３２】
籠部１０は、上蓋網１６（１６’）を備える。なお、前述したように、図１は、上蓋網１６（１６’）を取外した状態を示している。上蓋網１６は、矩形の溶接金網で形成されており、籠部１０の上面開口の一部を塞ぐ。すなわち、上蓋網１６は、籠部１０の上面開口の前端側のみを塞ぎ、その他の部分を塞がない。上蓋網１６の前端は、前面網１２の上端に、コイル２を巻き付かせることで固定されている。一方、上蓋網１６の後端は、詳細は後述するが、多段籠構造物Ａにおける当該籠構造物１の上段の籠構造物１（１’）の前面網１２の下端に、コイル２を巻き付かせることで固定されている。
【００３３】
なお、多段籠構造物Ａにおける最上段の籠構造物１の上蓋網１６’は、籠部１０の上面開口の全部を塞いでおり、上蓋網１６’の前端、後端及び左右の側端が、それぞれ前面網１２、後面網１３及び左右の側面網１４，１５の上端に、コイル２を巻き付かせることで固定されている。
【００３４】
籠部１０内には、５つの中枠１７，１７，…が配設されている。中枠１７は、矩形枠状の枠部１７ａと、前後方向の略中央部を上下方向に延びる補強部１７ｂからなる。５つの中枠１７，１７，…は、籠部１０内を左右方向に間隔を空けて配設されており、コイル２を巻き付かせることで底面網１１、前面網１２及び後面網１３に固定されている。中枠１７を籠部１０内に配設することにより、籠部１０の剛性が高められている。
【００３５】
後面網１３の前面全体を覆うように、中詰材保持シート（図示せず）が配設されている。この中詰材保持シートは、籠部１０内における後述する単粒度砕石からなる排水用骨材３０の後方補強部２０内への流出を防止する、又は後方補強部２０内における後述するクラッシャランからなる胴込材３１の籠部１０内への侵入を防止するものである。
【００３６】
後方補強部２０は、前述したように、籠部１０の後方に配置されている。後方補強部２０は、幅寸法Ｂ２を有する。籠部１０の幅寸法Ｂ１と後方補強部２０の幅寸法Ｂ２を足し合わせたのが、籠構造物１全体としての幅寸法Ｂである。
【００３７】
後方補強部２０は、図１に示すように、左右の側面パネル２１，２２（以下、左面パネル２１及び右面パネル２２という場合がある）、左右の底面パネル２３，２４（以下、左底面パネル２３及び右底面パネル２４という場合がある）及び後面パネル２５を備える。左面パネル２１及び右面パネル２２は、それぞれ後方補強部２０の左側面及び右側面を構成しており、籠部１０の後面網１３（籠部１０の後端部）から後方向に延びている。また、左面パネル２１及び右面パネル２２は、互いに間隔を空けて対向している。
【００３８】
左面パネル２１と左底面パネル２３は、横断面がＬ字形状である１つのＬ型溶接金網（多孔質部材）で形成されている。左底面パネル２３は、後方補強部２０の左端側の底面を構成している。右面パネル２２と右底面パネル２４は、横断面がＬ字形状である１つのＬ型溶接金網（多孔質部材）で形成されている。右底面パネル２４は、後方補強部２０の右端側の底面を構成している。また、左面パネル２１、右面パネル２２、左底面パネル２３及び右底面パネル２４は、籠部１０の後面網１３に対して（左右の側面パネル２１，２２については、併せて、左右の側面網１４，１５に対しても）、コイル２を巻き付かせることで固定されている。
【００３９】
後面パネル２５は、矩形の溶接金網（多孔質部材）で形成され、後方補強部２０の後面を構成している。具体的には、後面パネル２５は、左面パネル２１及び右面パネル２２の後端同士を連結している。また、後面パネル２５は、左底面パネル２３及び右底面パネル２４の後端同士も連結している。後面パネル２５は、左端が左面パネル２１の後端に固定され、左端側の下端が、左底面パネル２３の後端に固定されている。また、後面パネル２５は、右端が右面パネル２２の後端に固定され、右端側の下端が、右底面パネル２４の後端に固定されている。なお、後面パネル２５は、左面パネル２１、右面パネル２２、左底面パネル２３及び右底面パネル２４に対して、コイル２を巻き付かせることで固定されている。
【００４０】
図１に示すように、後方補強部２０の底面部分には、左底面パネル２３及び右底面パネル２４が配設された部分を除いて、底面を構成する部材が存在しない（少なくとも一部には底面を構成する部材が存在しない）。なお、後方補強部２０の底面全体における底面を構成する部材（左底面パネル２３及び右底面パネル２４）が占める割合は、２０パーセント未満である。ここで、後方補強部２０の該底面全体における底面を構成する部材が占める割合は、少なくとも８０％未満であることが好ましい。特に、後方補強部２０（籠構造物１）の長さ寸法Ｌが大きいときは、５０パーセント未満であることが好ましく、２０パーセント未満であることがより好ましい。なお、該底面を構成する部材は、特に後方補強部２０の幅寸法Ｂ２が小さい場合には、なくてもよい（底面を構成する部材が占める割合が０パーセントでもよい）。
【００４１】
後方補強部２０内（後面網１３、左面パネル２１、右面パネル２２及び後面パネル２５で囲まれた部分）には、２つの仕切パネル２６，２６が配設されている。仕切パネル２６は、矩形の溶接金網（多孔質部材）で形成されており、左面パネル２１及び右面パネル２２間に立設し、前後方向に延びている。仕切パネル２６，２６は、籠部１０内に５つある中枠１７，１７，…のうち、左右外側から２番目の中枠１７，１７の後側に配設されており、その前後両端が後面網１３と後面パネル２５とを連結している。なお、仕切パネル２６は、後面網１３（より具体的には、後面網１３と中枠１７の枠部１７ａ）及び後面パネル２５に対して、コイル２を巻き付かせることで、固定されている。なお、仕切パネル２６は、補強のために配設されており、その金網の網目は左面パネル２１及び右面パネル２２の金網の網目よりも大きい。これにより、後方補強部２０内に、後述するクラッシャランからなる胴込材３１を充填するとき、仕切パネル２６の金網の網目に、胴込材３１が詰まりにくいので、充填しやすくなる。また、仕切パネル２６は、左右の側面パネル２１，２２と伴に、後面パネル２５を立たせた状態で固定している。
【００４２】
また、図１に示すように、仕切パネル２６の上端は、後面網１３、左面パネル２１、右面パネル２２及び後面パネル２５それぞれの上端よりも低い位置に位置するようになっている。これにより、後述する胴込材３１の充填が行いやすくなっている。
【００４３】
後方補強部２０内には、５つの水平ステー２７，２７，…が配設されている。水平ステー２７は棒状の部材であり、両端部に金網と係合可能な係合部２７ａ，２７ａを有する。水平ステー２７，２７，…は、籠部１０内に５つある中枠１７，１７，…の後側に配設され、後面網１３と後面パネル２５とを連結している。具体的には、５つの水平ステー２７，２７，…のうち、仕切パネル２６，２６と左右方向略同じ位置（左右外側から２番目の中枠１７，１７の後側）に配設されたものは、仕切パネル２６の上側に位置している。そして、前側の係合部２７ａが後面網１３の上端部及び中枠１７の枠部１７ａと係合し、後側の係合部２７ａが後面パネル２５の上端部と係合している。また、５つの水平ステー２７，２７，…のうち、仕切パネル２６，２６と左右方向に異なる位置（左右外側から１番目及び真中の中枠１７，１７，１７の後側）に配設されたものは、高さ方向略中央部に位置している。具体的には、前側の係合部２７ａが後面網１３の高さ方向略中央部及び中枠１７の枠部１７ａと係合し、後側の係合部２７ａが後面パネル２５の高さ方向略中央部と係合している。このように、水平ステー２７の前側の係合部２７ａが後面網１３のみならず中枠１７の枠部１７ａとも係合するようにしたのは、後面網１３と後面パネル２５の連結を強固なものとするためである。
【００４４】
また、前述の左底面パネル２３及び右底面パネル２４も、後面網１３と後面パネル２５とを連結している。このように、後方補強部２０内には、後面網１３と後面パネル２５とを連結する複数の連結部材として、左底面パネル２３、右底面パネル２４、仕切パネル２６，２６及び水平ステー２７，２７，…が備えられている。
【００４５】
図１に示すように、後方補強部２０内の左端側には、左面パネル２１と左底面パネル２３とを連結する棒状の補助ステー２８が備えられている。また、後方補強部２０内の右端側には、右面パネル２２と右底面パネル２４とを連結する棒状の補助ステー２８が備えられている。これら補助ステー２８，２８は、左面パネル２１及び右面パネル２２が左右外側に倒れないように内側に引張っている。
【００４６】
＜多段籠構造物の構成＞
図２に示すように、籠部１０内部には、単粒度砕石からなる排水用骨材３０が充填されている。また、後面網１３、左面パネル２１、右面パネル２２及び後面パネル２５とで囲まれた空間２９（以下、単に後方補強部２０内という場合がある）には、クラッシャランからなる胴込材３１が充填されている。この胴込材３１の粒径は、排水用骨材３０の粒径よりも小さい。
【００４７】
図２に示すように、籠構造物１（１’）を上下方向に５段積み重ねて多段籠構造物Ａが形成されている。この多段籠構造物Ａは、籠構造物１（１’）を地山斜面Ｇに対して、階段状に積み重ねることで形成されており、段数を重ねるにつれて、籠構造物１（１’）が後側（地山斜面Ｇ側）に配置されるようになっている。なお、４段目の籠構造物１’は、後方補強部２０内に充填された胴込材３１’として、籠部１０内の排水用骨材３０と同じ単粒度砕石を用いている。
【００４８】
＜籠構造物の設置方法＞
籠構造物１の設置方法について説明する。地山斜面Ｇを整形後、籠構造物１を配置する。このとき、籠構造物１は、後方補強部２０内における仕切パネル２６，２６の上側の水平ステー２７,２７及び上蓋網１６が取付けられる前の状態である。なお、他の部分は図１に示す状態と同じである。次に、籠部１０内に排水用骨材３０を充填する。
【００４９】
籠部１０内への排水用骨材３０の充填が完了したら、後方補強部２０内への胴込材３１の充填を開始する。後方補強部２０内に胴込材３１をある程度充填したら、仕切パネル２６，２６の上側に水平ステー２７,２７を配設して、後面網１３と後面パネル２５とを連結する。後方補強部２０内への胴込材３１の充填が完了したら、胴込材３１を上から転圧（締固め）する。転圧後、上蓋網１６を配設する。具体的には、上蓋網１６の前端を前面網１２の上端にコイル２を巻き付かせることで固定する。これにより、１段目の籠構造物１の設置が完了する。
【００５０】
１段目の籠構造物１の上に、２段目の籠構造物１を配置する。このとき、１段目の籠構造物１の上蓋網１６の後端に、２段目の籠構造物１の前面網１２の下端を、コイル２を巻き付かせることで固定する。そして、前述の工程を行い、２段目の籠構造物１を設置する。以下、これを繰り返して、籠構造物１（１’）を５段積み重ねた多段籠構造物Ａを形成する。なお、４段目の籠構造物１’については、後方補強部２０内に、胴込材３１’として、籠部１０内の排水用骨材３０と同じ単粒度砕石を充填するので、転圧は不要である。また、５段目の籠構造物１については、前述したように、籠部１０の上面開口を全部塞ぐ上蓋網１６’を配設する。このとき、上蓋網１６’の前端、後端及び左右の側端を、それぞれ前面網１２、後面網１３及び左右の側面網１４，１５の上端に、コイル２を巻き付かせることで固定する。
【００５１】
＜実施形態の作用効果＞
かかる構成によれば、籠構造物１を籠部１０と後方補強部２０とに分けて、後方補強部２０に充填する胴込材３１に、籠部１０に充填する排水用骨材３０よりも安価な材料を適用することができるので、比較的高価な単粒度砕石の使用量を減らすことができ、コストを低減することができる。さらに、後方補強部２０の底面を構成する部材は、左右両端側の左底面パネル２３及び右底面パネル２４しかないので、後方補強部２０の底面の全部分に亘って底面を構成する部材が備えられている場合に比べて、後方補強部２０の底面全体における底面を構成する部材が占める割合が小さくなる。したがって、コストをさらに低減することができる。特に、後方補強部２０の幅寸法（前後方向の寸法）Ｂ２が大きいときにコスト低減効果が大きい。さらに、本実施形態では、後方補強部２０の底面全体における底面を構成する部材（左底面パネル２３及び右底面パネル２４）が占める割合は、２０パーセント未満である。このように、後方補強部２０の該底面全体における底面を構成する部材が占める割合を最小限にすることで、コストを低減している。
【００５２】
また、後方補強部２０の底面全体における底面を構成する部材が占める割合が小さくなったので、仕様に応じて後方補強部２０の幅寸法Ｂ２を変更することに伴う、底面を構成する部材の幅寸法を調整することの負担が減るので、作業が容易になる。特に、本実施形態では、左面パネル２１及び左底面パネル２３が１つのＬ型溶接金網で形成され、右面パネル２２及び右底面パネル２４が１つのＬ型溶接金網で形成されているので、該Ｌ型溶接金網の前後方向の寸法のみを調整すればよく、作業が容易である。
【００５３】
また、籠部１０に前方向の力が作用したとき、後面網１３が連結部材（左底面パネル２３、右底面パネル２４、仕切パネル２６，２６及び水平ステー２７，２７，…）を前方向に引張り、さらに、該連結部材が後面パネル２５を前方向に引張る。したがって、籠部１０と後方補強部２０は、一体で前方向に移動するようになる。つまり、籠部１０内の排水用骨材３０と、後方補強部２０内の胴込材３１とが一体で前方向に移動するようになり、前方向への滑動力に対して、籠部１０と後方補強部２０が一体となって抗することになり、排水用骨材３０と胴込材３１との一体性が保たれる。また、本実施形態では、連結部材として、左底面パネル２３、右底面パネル２４、仕切パネル２６，２６及び水平ステー２７，２７，…を用いているので、後面網１３と後面パネル２５との連結を強固に行うことができる。
【００５４】
また、仮組時に、仕切パネル２６によって、後面パネル２５を立たせた状態で固定することができるので、組立作業が容易になる。さらに、仕切パネル２６上端の構成により、胴込材３１を後方補強部２０内に充填した後、上から転圧（締固め）するときに、仕切パネル２６が邪魔にならず作業が容易である。
【００５５】
また、排水用骨材３０に単粒度砕石を用いているので、籠部１０内の排水性に優れる。しかも、胴込材３１にクラッシャランを用いているので、籠部１０内のみならず後方補強部２０内の排水性に優れる。
【００５６】
＜その他の実施形態＞
籠構造物１の数、形状、構造、原材料その他の構成について、前記実施形態に限定する必要はない。
【００５７】
前記実施形態では、左面パネル２１、右面パネル２２、左底面パネル２３、右底面パネル２４、後面パネル２５及び仕切パネル２６を、溶接金網からなる構成としたが、必ずしも溶接金網に限定する必要はない。例えば、菱形金網、亀甲金網、パンチングメタル、エキスパンドメタル、合成樹脂ネット又は合成樹脂ストリップ材、その他多数の孔が形成された通気性を有する部材であれば、その材質、孔の大きさ、孔の数等による制限は無く、その構成はいかなるものであってもよい。
【００５８】
前記実施形態では、連結部材として、左底面パネル２３、右底面パネル２４、仕切パネル２６，２６及び水平ステー２７，２７，…を用いる構成としたが、必ずしもこれらに限定する必要はない。例えば、左底面パネル２３及び右底面パネル２４を備えなくてもよい。排水用骨材３０と胴込材３１の一体性を保つように、後面網１３と後面パネル２５とを連結する複数の部材を備えるのであれば、その構成はいかなるものであってもよい。
【００５９】
前記実施形態では、籠構造物１の籠部１０内に排水用骨材３０として単粒度砕石を充填し、後方補強部２０内に胴込材３１としてクラッシャランを充填していたが、必ずしもこれに限定する必要はない。例えば、籠構造物１’のように、胴込材３１’を排水用骨材３０と同じ単粒度砕石としてもよい。また、籠部１０内に排水用骨材３０として栗石を、後方補強部２０内に胴込材３１として土砂を充填するのでもよく、胴込材３１の粒径が排水用骨材３０の粒径以下であれば、その構成はいかなるものであってもよい。
【００６０】
前記実施形態では、籠構造物１（１’）を５段積み重ねて、多段籠構造物Ａを形成していたが、必ずしもこれに限定する必要はない。例えば、３段でもよい。また、単段として多段籠構造物Ａを形成しなくてもよい。
【００６１】
前記実施形態では、後方補強部２０の底面全体における底面を構成する部材（左底面パネル２３及び右底面パネル２４）が占める割合は、２０パーセント未満であるとしていたが、必ずしもこれに限定する必要はない。例えば、８０パーセントでもよいし、０パーセントでもよい。後方補強部２０の底面部分の少なくとも一部に底面を構成する部材が存在しない部分があれば、いかなる構成であってもよい。
【産業上の利用可能性】
【００６２】
本発明は、籠構造物に適応できるので、極めて有用であり、産業上の利用可能性が高い。
【符号の説明】
【００６３】
１    籠構造物
１０    籠部
１１    底面網
１２    前面網
１３    後面網
１４    左面網（左右の側面網）
１５    右面網（左右の側面網）
２０    後方補強部
２１    左面パネル（左右の側面パネル）
２２    右面パネル（左右の側面パネル）
２５    後面パネル
２６    仕切パネル
２７    水平ステー
２９    空間
３０    排水用骨材
３１    胴込材
【図１】
2020094372.tif 000003
【図２】
2020094372.tif 000004